(57)【特許請求の範囲】
【請求項１】
液滴が吐出される複数のノズルを有する液滴吐出ヘッドと、前記液滴吐出ヘッドに供給する液体を貯留する液体貯留容器と、を備え、前記液滴吐出ヘッド及び前記液体貯留容器は、いずれも、走査方向において往復移動可能に取り付けられたキャリッジに搭載されているものであり、前記液滴吐出ヘッドを走査方向にスキャンしながら前記液滴吐出ヘッドから液体を吐出する液体吐出装置であって、
前記液滴吐出ヘッドには、前記複数のノズルに連通される前記走査方向に垂直な共通流路が形成されており、
前記液体貯留容器と前記共通流路の一方端部とを連通する第１の流路と、
前記共通流路の他方端部と前記液体貯留容器とを連通する第２の流路と、
前記第１の流路を通って前記液体貯留容器から前記共通流路の一方端部に液体を送るととともに、前記第２の流路を通って前記共通流路の他方端部から前記液体貯留容器に液体を送り、前記液体貯留容器と前記液滴吐出ヘッドとの間で液体を循環させる循環手段と、
を更に備え、
走査方向における前記液滴吐出ヘッドの中心と前記液体貯留容器の中心とは、前記走査方向に垂直な略同一平面上に配置されることを特徴とする液滴吐出装置。
【請求項２】
前記液体貯留容器から前記第１の流路に液体が流出する流出口は、走査方向において前記液体貯留容器の略中心に配置されていることを特徴とする請求項１に記載の液滴吐出装置。
【請求項３】
前記第２の流路から前記液体貯留容器に液体が流入する流入口は、走査方向において前記液体貯留容器の略中心に配置されていることを特徴とする請求項１又は２に記載の液滴吐出装置。
【発明の詳細な説明】
【技術分野】
【０００１】
本発明は、ノズルから液滴を吐出する液滴吐出装置に関する。
【背景技術】
【０００２】
液滴を吐出する液滴吐出ヘッドと液体を貯留する液体貯留タンクとが一つのキャリッジに搭載されるオンキャリッジタンク方式の液体吐出装置では、液体貯留タンクの上部空間を負圧制御するなどして液滴吐出ヘッドの圧力調整を行い、液滴吐出ヘッドに供給された液体の圧力を指定水頭の許容範囲内に保持している（例えば、特許文献１参照）。
【先行技術文献】
【特許文献】
【０００３】
【特許文献１】特開２００６−０８８５６４号公報
【発明の概要】
【発明が解決しようとする課題】
【０００４】
ところで、このような液体吐出装置を用いて、粘度の高いインクやオイル、微粒子が含まれる液体などを吐出する場合は、ノズル詰まりや吐出不良を防止するために、ノズル径を大きくする必要がある。しかしながら、ノズル径を大きくすると、液体吐出ヘッドが適正に吐出できる水頭（圧力）の許容範囲が狭くなる。しかも、スキャンを行うためにキャリッジを走査方向に移動させると、液体に働く慣性力により圧力変動が生じるため、液滴吐出ヘッドの圧力調整が難しくなるという問題がある。
【０００５】
そこで、本発明は、スキャンを行う際に、液滴吐出ヘッドにおける液体の圧力変動を抑制することができる液滴吐出装置を提供することを目的とする。
【課題を解決するための手段】
【０００６】
本発明者らは、鋭意研究した結果、液滴吐出ヘッドにおける液体の圧力変動は、液滴吐出ヘッドに対する液体貯留装置の走査方向におけるシフト量（ズレ量）が大きく影響しているとの知見に至った。
【０００７】
すなわち、液滴吐出ヘッドにおける液体の圧力変動は、キャリッジを走査方向に移動させると、液体貯留装置と液滴吐出ヘッドとを連通する流路内の液体には、走査方向の反対方向に慣性力が働くため、流路内で液体の圧力変動が生じる。しかしながら、この流路が走査方向において折り重なっていると、流路内でインクの慣性力が相殺される。このため、液滴吐出ヘッドにおける液体に作用する圧力変動は、実質的に、液滴吐出ヘッドに対する液体貯留装置の走査方向におけるシフト量に相当する液体の慣性力によるものであることが分かった。
【０００８】
このような知見に鑑み、本発明に係る液体吐出装置は、液滴が吐出される複数のノズルを有する液滴吐出ヘッドと、液滴吐出ヘッドに供給する液体を貯留する液体貯留容器と、を備え、液滴吐出ヘッド及び液体貯留容器は、いずれも、走査方向において往復移動可能に取り付けられたキャリッジに搭載されているものであり、液滴吐出ヘッドを走査方向にスキャンしながら液滴吐出ヘッドから液体を吐出する液体吐出装置であって、液滴吐出ヘッドには、複数のノズルに連通される走査方向に垂直な共通流路が形成されており、液体貯留容器と共通流路の一方端部とを連通する第１の流路と、共通流路の他方端部と液体貯留容器とを連通する第２の流路と、第１の流路を通って液体貯留容器から共通流路の一方端部に液体を送るととともに、第２の流路を通って共通流路の他方端部から液体貯留容器に液体を送り、液体貯留容器と液滴吐出ヘッドとの間で液体を循環させる循環手段と、をさらに備え、走査方向において液滴吐出ヘッドの中心と液体貯留容器の中心とが走査方向に垂直な略同一平面上に配置されていることを特徴とする。
【０００９】
本発明に係る液滴吐出装置によれば、走査方向において液滴吐出ヘッドの中心と液体貯留容器の中心とが走査方向に垂直な略同一平面上に配置することで、液滴吐出ヘッドに対する液体貯留装置の走査方向におけるシフト量を微小又はゼロにすることができる。これにより、スキャンを行う際に、液滴吐出ヘッドにおける液体の圧力変動を抑制することができる。また、本発明に係る液滴吐出装置では、走査方向における液滴吐出ヘッドの中心と液体貯留容器の中心とは、ノズルに供給された液体の圧力が、液滴吐出ヘッドにおける指定水頭の許容範囲内となる範囲内に配置されているといえる。このように、液滴吐出ヘッドと液体貯留容器を配置することで、ノズルに供給された液体のメニスカスを適切に保持することができる。
【００１２】
また、第１の流路により液体貯留容器と共通流路の一方端部とが連通され、第２の流路により共通流路の他方端部と液体貯留容器とが連通されるため、循環手段を駆動させることで、液体貯留容器から液滴吐出ヘッドに供給される液体を、液体貯留容器、第１の流路、共通流路及び第２の流路を通る流路内で循環させることができる。これにより、例えば、高粘度の液体を用いた場合は、液体の移動を停止させることなく移動させ続けることができ、更に微粒子を含む液体を用いた場合は、微粒子の沈殿や沈降を抑制することができる。
【００１３】
そして、液体貯留容器から第１の流路に液体が流出する流出口は、走査方向において液体貯留容器の略中心に配置されていることが好ましい。液体貯留容器が走査方向に移動すると、液体貯留容器内では、走査方向と反対方向への慣性力が働いて液体が揺れ圧力変動が生じるが、走査方向において液体貯留容器の略中心は液位の変動が少なく圧力変動が小さい。そこで、液体貯留容器の流出口を、走査方向において液体貯留容器の略中心に配置することで、液体貯留容器内の液体の揺れに伴う圧力変動の影響が、液滴吐出ヘッドに供給される液体に与える影響を最小限に抑えることができる。
【００１４】
また、第２の流路から液体貯留容器に液体が流入する流入口は、走査方向において液体貯留容器の略中心に配置されていることが好ましい。液体貯留容器と液滴吐出ヘッドとの間で液体を循環させる場合に、液体貯留容器の流入口を、走査方向において液体貯留容器の略中心に配置することで、液体の揺れに伴う圧力変動の影響が、液滴吐出ヘッド供給される液体に与える影響を最小限に抑えることができる。
【発明の効果】
【００１５】
本発明によれば、スキャンを行う際に、液滴吐出ヘッドにおける液体の圧力変動を抑制することができる。
【図面の簡単な説明】
【００１６】
【図１】実施形態に係るインクジェットプリンタの概略構成図である。
【図２】インクジェットヘッドとインクタンクとの配置を示す図である。
【図３】実施例のインクジェットプリンタの配置を示した図である。
【図４】比較例のインクジェットプリンタの配置を示した図である。
【図５】実施例の計測結果を示した図である。
【図６】比較例の計測結果を示した図である。
【発明を実施するための形態】
【００１７】
以下、図面を参照して、本発明に係る液体吐出装置の好適な実施形態について詳細に説明する。本実施形態は、本発明に係る液体吐出装置を、液滴吐出装置であるインクジェットプリンタに適用したものである。なお、同一又は相当部分には同一符号を付すこととする。
【００１８】
図１は、実施形態に係るインクジェットプリンタの概略構成図である。図１に示すように、インクジェットプリンタ１は、インクジェットヘッド２と、インクタンク３と、供給流路４と、還元流路５と、圧力センサ６と、差圧発生装置７と、を備えている。
【００１９】
インクジェットヘッド２は、インク液滴を吐出するものである。このインクジェットヘッド２には、インク液滴が吐出される複数のノズル２ａと、各ノズル２ａに連通されて各ノズル２ａに分配供給するインクが流れる共通インク流路２ｂと、が形成されている。なお、各ノズル２ａは、図２記載の走査方向Ｓに垂直な方向に１列又は複数列に配列されている。このインクジェットヘッド２は、走査方向において往復移動可能に取り付けられたキャリッジ（不図示）に搭載されている。そして、キャリッジの走査方向への移動時に各ノズル２ａからインク液滴を吐出することで、スキャンが行われる。
【００２０】
インクタンク３は、インクジェットヘッド２に供給するインクが貯留されたインク容器である。そして、インクタンク３は、インクジェットヘッド２と同様にキャリッジ（不図示）に搭載されており、インクジェットヘッド２と一体となってスキャンが行われる。なお、インクタンク３は、バッファなどのように、インクジェットヘッド２に供給するインクの圧力変動を緩和するために微小なインクを一時的に貯留するものではなく、ある程度の容量のインクを貯留する所謂メインタンクである。そして、このインクタンク３は、インクジェットプリンタ１の使用状況に応じて、適宜インクを補充することが可能となっている。
【００２１】
このインクタンク３には、供給流路４にインクが流出する流出口３ａと、還元流路５からインクが流入する流入口３ｂと、が形成されている。なお、インクタンク３には、図示しないポンプなどの負圧制御装置が連結されており、ノズル部分におけるインクの圧力がインクジェットヘッド２の指定する水頭値の許容範囲内となるように、インクタンク３の上部空間が負荷制御されている。
【００２２】
このインクタンク３内には、インクタンク３内を上部領域と下部領域とに分割する仕切板８が設けられている。この仕切板８は、インクタンク３の内壁面に密着された薄い円板状に形成されており、中央において上部領域と下部領域とを連通する中央開口８ａと、周縁部において上部領域と下部領域とを連通する複数の周縁開口８ｂとが形成されている。
【００２３】
供給流路４は、インクタンク３とインクジェットヘッド２とを連通して、インクタンク３に貯留されたインクをインクジェットヘッド２に供給するための流路である。この供給流路４は、細長い管状部材（チューブ）で構成されており、インクタンク３の流出口３ａと、共通インク流路２ｂの一方端部２ｃとに接続されている。このため、インクタンク３内のインクは、流出口３ａから供給流路４に流出され、更に、一方端部２ｃから共通インク流路２ｂに供給されることが可能となっている。
【００２４】
還元流路５は、インクジェットヘッド２とインクタンク３とを連通して、インクジェットヘッド２に貯留されたインクをインクタンク３に還元するための流路である。この還元流路５は、細長い管状部材（チューブ）で構成されており、共通インク流路２ｂの他方端部２ｄと、インクタンク３の流入口３ｂとに接続されている。このため、共通インク流路２ｂに供給されたインクは、一方端部２ｃから供給流路４に排出され、更に、流入口３ｂからインクタンク３内に戻されることが可能となっている。
【００２５】
圧力センサ６は、インクジェットヘッド２の一方端部２ｃの直上の供給流路に配置され、流路内のインク圧力を検出するセンサである。
【００２６】
なお、本実施形態の方式は、インクの圧力を直接モニタすることによりタンク上部空間の圧力を制御してノズル部分の圧力を所定の範囲内に収まるようにしているが、本方式以外に、インクタンクの上部空間の圧力を制御し、ノズル部分の圧力を上記範囲内にしてもよい。
【００２７】
差圧発生装置７は、インクタンク３に貯留されているインクに差圧を発生させて、インクタンク３、供給流路４、インクジェットヘッド２の共通インク流路２ｂ及び還元流路５を通るインク流路内でインクを循環させるものである。この差圧発生装置７は、インクタンク３の内側であって仕切板８の下方に配置されるインペラ７ａと、インクタンク３の外側に配置されてインペラ７ａを回転駆動する駆動装置７ｂと、を備えている。なお、差圧発生装置７は、カップリング磁石などを用いることで、インクタンク３の外側に配置された駆動装置７ｂにより、インクタンク３の内側に配置されたインペラ７ａを回転させることができる。
【００２８】
そして、駆動装置７ｂによる回転駆動によりインペラ７ａが回転すると、インクタンク３内のインクは、インペラ７ａにより半径方向外側に向けて押し出され、仕切板８の周縁開口８ｂを通ってインクタンク３の下部領域から上部領域に上昇し、仕切板８の中央開口８ａを通ってインクタンク３の上部領域から下部領域に下降する。このように、インペラ７ａの回転によりインクタンク３内でインクが循環されることで、インクタンク３内のインクが攪拌され、例えば微粒子を含む液体であってもその沈殿や沈降を防ぐことができる。
【００２９】
また、インペラ７ａの回転によりインクが回転方向外側に押し出されることにより、インペラ７ａ外周部のインク圧が最も高くなるので、下部領域に配置された流出口３ａと上部領域に配置された流入口３ｂとの間に差圧が発生する。これにより、流出口３ａからインクが流出して流入口３ｂからインクが流入するため、インクが、インクタンク３、供給流路４、共通インク流路２ｂ及び還元流路５を通るインク流路を循環する。
【００３０】
図２は、インクジェットヘッドとインクタンクとの配置を示す図である。図２に示すように、本実施形態に係るインクジェットプリンタ１は、インクジェットヘッド２とインクタンク３とが、走査方向Ｓにおいて、それぞれの中心が所定の範囲内となるように配置されている。すなわち、図２（ａ）に示すように、走査方向Ｓにおいて、インクジェットヘッド２の中心Ａとインクタンク３の中心Ｂとが同じ位置に配置され、又は、図２（ｂ）（ｃ）に示すように、走査方向Ｓにおける前後方向おいて、インクジェットヘッド２の中心Ａに対してインクタンク３の中心Ｂが所定範囲内でシフトして（ずれて）配置されている。走査方向Ｓにおけるインクジェットヘッド２の中心とは、走査方向Ｓにおけるノズル２ａの中心を意味している。この場合、ノズル２ａが１列のノズル列に配列されている場合は、当該ノズル列の中心を意味し、ノズル２ａが複数列のノズル列に配列されている場合は、走査方向Ｓにおいて最前方のノズル列と最後方のノズル列の中心を意味する。
【００３１】
走査方向Ｓにおいて、インクジェットヘッド２の中心Ａに対するインクタンク３の中心Ｂのシフト量の許容範囲は、インクジェットヘッド２とインクタンク３とが一体的に搭載されたキャリッジが走査方向Ｓに移動してスキャンする際に、インクジェットヘッド２におけるインク圧が、インクジェットヘッド２が指定する許容水頭の範囲内となる。
【００３２】
ところで、スキャンするためにキャリッジを走査方向Ｓに移動すると、インクは走査方向Ｓの反対方向に慣性力が働くため、インク流路でインクの圧力変動が生じる。しかしながら、供給流路４及び還元流路５では、走査方向Ｓにおいて折り重なっている部分では、互いに圧力が相殺される。このため、インクジェットヘッド２におけるインクに作用する圧力変動は、実質的に、走査方向Ｓにおけるインクジェットヘッド２とインクタンク３とのシフト量に相当するインクの慣性力によるものと考えられる。
【００３３】
一方、インクジェットヘッド２が指定する許容水頭は、吐出するインクの表面張力などの物性、ノズル２ａの径などによって特定される。すなわち、インクの表面張力が低いと許容水頭の範囲が狭くなり、ノズル２ａの径が大きくなると許容水頭の範囲が狭くなる傾向がある。
【００３４】
また、圧力損失や配管の弾性などの外乱を除くと、原理的には、スキャンによるインクジェットヘッド２におけるインクの圧力変動量は、例えば、インクジェットヘッド２に対するインクタンク３のシフト量と、インクの密度と、スキャンの最大加速度とを掛け合わせた値となる。なお、この外乱には、例えば、流路の圧力損失、配管弾性、インクの粘度、液面変動（波）、圧力センサ６のレスポンス（応答速度）、配管長の差や設置における位置寸法誤差などが挙げられる。また、供給流路と還元流路とに圧力損失の差があると、流れが発生したときに、供給側と還元側とに圧力差が発生し外乱となるので注意が必要である。
【００３５】
そこで、スキャンによるインク圧の変動が、インクの表面張力、ノズル２ａの径などによって特定されるインクジェットヘッド２許容水頭の範囲内となるように、インクジェットヘッド２の中心Ａに対するインクタンク３の中心Ｂの最大シフト量を設定する。
【００３６】
なお、上述した理由から、図２（ａ）に示すように、走査方向Ｓにおいてインクジェットヘッド２の中心Ａとインクタンク３の中心Ｂとが同じ位置、すなわち、インクジェットヘッド２の走査方向Ｓにおける中心Ａとインクタンク３の走査方向Ｓにおける中心Ｂとが走査方向Ｓに垂直な略同一平面上に配置される場合に、インクジェットヘッド２におけるインクに作用する圧力変動が最も小さくなる。
【００３７】
次に、本実施形態に係るインクジェットプリンタ１の動作について説明する。
【００３８】
まず、差圧発生装置７の駆動装置７ｂを回転駆動して、インペラ７ａを回転させる。これにより、インクタンク３内のインクは、流出口３ａからインク流出されるとともに、流入口３ｂからインクが流入されるため、インクタンク３、供給流路４、共通インク流路２ｂ及び還元流路５を通るインク流路を循環する。
【００３９】
インクが十分に循環されると、キャリッジを走査方向Ｓに往復移動させてスキャンを行う。
【００４０】
すると、インクタンク３では、キャリッジの移動に伴う加速度によりインクに慣性力が働くため、インクが揺れて液面が変動する。そして、キャリッジの移動方向前方は液面が低下して圧力が低下し、キャリッジの移動方向後方は液面が上昇して圧力が上昇するが、キャリッジの移動方向中央部は、液面の変動が小さく圧力変動も小さい。このため、インクタンク３の流出口３ａから供給流路４に流出するインクは、インクタンク３内のインクの揺れに伴う圧力変動の影響を殆ど受けない。同様に、流入口３ｂからインクタンク３に流入する還元流路５のインクは、インクタンク３内のインクの揺れに伴う圧力変動の影響を殆ど受けない。
【００４１】
また、インクタンク３から供給流路４に流出されたインクは、インクジェットヘッド２における共通インク流路２ｂの一方端部２ｃに供給されるが、走査方向Ｓにおいてインクタンク３の中心とインクジェットヘッド２の中心とが同じ位置に配置されているため、キャリッジの移動に伴う加速度に発生した慣性力が供給流路４内で相殺される。このようにしてインクに発生した圧力変動が小さく抑えられた状態で、供給流路４から共通インク流路２ｂの一方端部２ｃにインクが供給される。
【００４２】
以上説明したように、本実施形態に係るインクジェットプリンタ１によれば、走査方向Ｓにおいてインクジェットヘッド２の中心とインクタンク３の中心とが所定の範囲内となるように配置することで、インクジェットヘッド２に対するインクタンク３の走査方向Ｓにおけるシフト量を小さくすることができる。これにより、スキャンを行う際に、インクジェットヘッド２におけるインクの圧力変動を抑制することができる。
【００４３】
この場合、走査方向Ｓにおけるインクジェットヘッド２の中心に対するインクタンク３の中心のシフト量を、ノズル２ａに供給されたインクの圧力が、インクジェットヘッド２における指定水頭の許容範囲内となる範囲内とすることで、ノズル２ａに供給されたインクのメニスカスを適切に保持することができる。
【００４４】
そして、走査方向Ｓにおけるインクジェットヘッド２の中心とインクタンク３の中心とを走査方向Ｓに垂直な略同一平面上に配置することで、インクジェットヘッド２に対するインクタンク３の走査方向におけるシフト量を微小またはゼロにすことができる。これにより、スキャンを行う際に、インクジェットヘッド２におけるインクの圧力変動をより適切に抑制することができる。
【００４５】
また、供給流路４によりインクタンク３と共通インク流路２ｂの一方端部２ｃとが連通され、還元流路５により共通インク流路２ｂの他方端部２ｄとインクタンク３とが連通されるため、差圧発生装置７を駆動させることで、インクタンク３からインクジェットヘッド２に供給されるインクを、インクタンク３、供給流路４、共通インク流路２ｂ及び還元流路５を通る流路内で循環させることができる。これにより、例えば、高粘度のインクを用いた場合は、インクの移動を停止させることなく移動させ続けることができ、更に微粒子を含むインクを用いた場合は、微粒子の沈殿や沈降を抑制することができる。
【００４６】
そして、インクタンク３の流出口３ａを、走査方向Ｓにおいてインクタンク３の略中心に配置することで、インクタンク３内のインクの揺れに伴う圧力変動の影響が、インクジェットヘッド２に供給されるインクに与える影響を最小限に抑えることができる。同様に、インクタンク３の流入口３ｂを、走査方向Ｓにおいてインクタンク３の略中心に配置することで、インクタンク３内のインクの揺れに伴う圧力変動の影響が、インクジェットヘッド２に供給されるインクの圧力変動に与える影響を最小限に抑えることができる。
【実施例１】
【００４７】
次に、本実施形態に係るインクジェットプリンタ１の実施例について説明する。
【００４８】
図３は、実施例のインクジェットプリンタの配置を示した図であり、図４は、比較例のインクジェットプリンタの配置を示した図である。なお、図３及び図４において、（ａ）は、インクジェットヘッド及びインクタンクを走査方向に垂直な平面で切断した図を示しており、（ｂ）は、インクジェットヘッド及びインクタンクを走査方向に並行な平面で切断した図を示している。
【００４９】
図３に示すように、実施例のインクジェットプリンタは、走査方向Ｓにおいて、インクジェットヘッドの中心とインクタンクの中心とが略同一平面上配置されている。そして、供給流路は、インクタンクの走査方向Ｓにおける中心に形成された流出口に接続されており、還元流路は、インクタンクの走査方向Ｓにおける中心に形成された流出口に接続されている。
【００５０】
一方、図４に示すように、比較例のインクジェットプリンタは、走査方向Ｓにおいて、インクジェットヘッドの中心に対してインクタンクの中心が、走査方向Ｓの反対側に５０ｍｍシフトして配置されている。そして、供給流路は、インクタンクの走査方向Ｓにおける中心に形成された流出口に接続されており、還元流路は、インクタンクの走査方向Ｓにおける中心に形成された流出口に接続されている。
【００５１】
そして、インクジェットヘッド及びインクタンクが搭載されたキャリッジを加速度１Ｇで走査方向に往復移動させて、インクジェットヘッドに供給されるインクに発生する圧力変動を計測することで、実施例のインクジェットプリンタと比較例のインクジェットプリンタとを比較した。インクの圧力変動の計測は、インクジェットヘッドの直上に配置された圧力センサの計測値に基づき行った。なお、圧力センサのダイアフラムが走査方向においてインクジェットヘッドの中心と同じ位置となるように、圧力センサを配置した。
【００５２】
実施例の計測結果を図５に示し、比較例の計測結果を図６に示す。なお、図５及び図６において、矢印αは、キャリッジが走査方向における最後方に位置しているときの計測結果を示しており、矢印βは、キャリッジが走査方向における最前方に位置しているときの計測結果を示している。
【００５３】
図６に示すように、比較例では、キャリッジの移動開始時に大きな圧力変動が生じており、往路及び復路でそれぞれ３５０Ｐａ程度の圧力変動が生じ、往復では７００Ｐａ程度の圧力変動が生じて。このため、比較例では、ダンパなどの緩衝素子を用いて、インクジェットヘッドに供給されるインクの圧力変動を小さくしなければ、適切にインクを吐出することができない。
【００５４】
これに対し、図５に示すように、実施例では、キャリッジの移動開始時に圧力変動が生じるものの、その程度は小さく、往路及び復路でそれぞれ２５Ｐａ程度の圧力変動しか生じず、往復では５０Ｐａ程度の圧力変動しか生じていない。このため、実施例では、特にダンパなどを用いなくても、インクジェットヘッドに供給されるインクの圧力変動が小さいため、適切にインクを吐出することができる。但し、実施例においてダンパの設置を排除するものではない。
【００５５】
これらの計測結果から、走査方向Ｓにおいてインクジェットヘッドの中心に対してインクタンクの中心を大きくずらして配置すると、インクジェットヘッドに供給されるインクに発生する圧力変動が大きくなるが、走査方向Ｓにおいてインクジェットヘッドの中心とインクタンクの中心とを同じ位置に配置することで、インクジェットヘッドに供給されるインクに発生する圧力変動を極めて小さく抑えることができることが分かる。
【００５６】
以上、本発明の好適な実施形態及び実施例について説明したが、本発明は上記実施形態及び実施例に限定されるものではない。例えば、上記実施形態では、供給流路４ほかに還元流路５を備え、インクをインクタンク３とインクジェットヘッド２との間で循環させるものとして説明したが、供給流路４のみを設け、インクタンク３からインクジェットヘッド２にインクが供給されるだけの１ＷＡＹ方式としてもよい。
【００５７】
また、上記実施形態では、流出口３ａ及び流入口３ｂをインクタンク３の外周壁に設けるものとして説明したが、流出口３ａ及び流入口３ｂは、走査方向Ｓにおけるインクタンク３の略中心であれば、如何なる位置に設けられていてもよい。例えば、流出口３ａをインクタンク３の外周壁に設け、還元流路５をインクタンク３内に貫通させて流入口３ｂをインクタンク３の内部に設けるものとしてもよい。
【００５８】
また、上記実施形態では、本発明の一例としてインクジェットプリンタについて説明したが、本発明を、食用オイルや接着剤などの高粘度液体を液滴として吐出する工業用液滴吐出装置などに適用してもよい。
【符号の説明】
【００５９】
１…インクジェットプリンタ（液滴吐出装置）、２…インクジェットヘッド（液滴吐出ヘッド）、２ａ…ノズル、２ｂ…共通インク流路（共通流路）、２ｃ…共通インク流路の一方端部、２ｄ…共通インク流路の他方端部、３…インクタンク（液体貯留容器）、３ａ…インクタンクの流出口、３ｂ…インクタンクの流入口、４…供給流路（第１の流路）、５…還元流路（第２の流路）、６…圧力センサ、７…差圧発生装置（循環手段）、７ａ…インペラ、７ｂ…駆動装置、８…仕切板、８ａ…仕切板の中央開口、８ｂ…仕切板の周縁開口、Ｓ…走査方向。
【図１】
0005575456.tif 000002
【図２】
0005575456.tif 000003
【図３】
0005575456.tif 000004
【図４】
0005575456.tif 000005
【図５】
0005575456.tif 000006
【図６】
0005575456.tif 000007